【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
基板処理装置のアンプルを充填する方法であって、
（ａ）アンプル充填開始条件が満たされたことを決定し、前記アンプル充填開始条件は、その間に、前記アンプルを前駆体で充填することによって生じる前記前駆体の撹拌が、前記基板処理装置によって処理される基板の安定性に最小限の影響をもたらすであろう段階に前記基板処理装置がある、または入ろうとしていることを決定することを含み、
（ｂ）前記アンプルを前駆体で充填し、前記アンプルを前駆体で充填することは、少なくとも１つの他の基板処理操作と同時に実施され、
（ｃ）アンプル充填停止条件が満たされたことを決定し、
（ｄ）前記前駆体による前記アンプルの充填を停止すること、
を含む方法。
【請求項２】
請求項１に記載の方法であって、（ａ）における、その間に、前記アンプルを前記前駆体で充填することによって生じる前記前駆体の撹拌が、前記基板処理装置によって処理される基板の安定性に最小限の影響をもたらすであろう段階は、基板を受け取って前記基板に前駆体を供給するように構成されている基板処理チャンバに前駆体が供給されない段階である、方法。
【請求項３】
請求項１に記載の方法であって、前記アンプル充填開始条件は、一連の堆積操作が前記基板処理装置に収容された基板上で完了したことを決定することを含む、方法。
【請求項４】
請求項３に記載の方法であって、前記一連の堆積操作は、原子層堆積に関連する堆積操作である、方法。
【請求項５】
請求項１から４のいずれか一項に記載の方法であって、前記アンプル充填開始条件は、前駆体量が閾値より少ないことを決定することを含む、方法。
【請求項６】
請求項５に記載の方法であって、前記閾値は全アンプル容量の約５０％未満である、方法。
【請求項７】
請求項１から４のいずれか一項に記載の方法であって、前記アンプル充填開始条件は、堆積操作のセットアップが実行中であることを決定することを含む、方法。
【請求項８】
請求項１から４のいずれか一項に記載の方法であって、前記アンプルを充填することと同時に実行される前記少なくとも１つの他の基板処理操作は、ウエハ・インデキシング操作を含む、方法。
【請求項９】
請求項１から４のいずれか一項に記載の方法であって、前記アンプルを充填することと同時に実行される前記少なくとも１つの他の基板処理操作は、前記前駆体および／または前記基板の温度ソークを含む、方法。
【請求項１０】
請求項１から４のいずれかに一項記載の方法であって、前記アンプルを充填することと同時に実行される前記少なくとも１つの他の基板処理操作は、ポンプ・ツー・ベース操作を含む、方法。
【請求項１１】
請求項１から４のいずれか一項に記載の方法であって、前記アンプル充填停止条件は、アンプル満杯センサが始動したことを決定すること、アンプル充填タイマが時間切れしたことを決定すること、またはアンプル充填停止が始動したことを決定することからなる群から選択される、方法。
【請求項１２】
請求項１１に記載の方法であって、前記アンプルが全アンプル容量の約８０％を超える前駆体量を有するときに、前記アンプル満杯センサが始動する、方法。
【請求項１３】
請求項１１に記載の方法であって、前記アンプルが全アンプル容量の約７０−１００％の範囲内の前駆体量を有するときに、前記アンプル満杯センサが始動する、方法。
【請求項１４】
請求項１１に記載の方法であって、前記アンプル充填タイマは約４５秒未満の期間である、方法。
【請求項１５】
請求項１１に記載の方法であって、前記アンプル充填停止は、
前記基板処理装置の流路を前駆体で装填すること、
一連の堆積操作を前記基板上で実行すること
の少なくともいずれか１つの前に始動する、方法。
【請求項１６】
請求項１から４のいずれか一項に記載の方法であって、さらに、（ｄ）の後に、前記基板処理装置の流路を前駆体で装填することを含む、方法。
【請求項１７】
請求項１から４のいずれか一項に記載の方法であって、さらに、（ｄ）の後に、一連の堆積操作を前記基板上で実行することを含む、方法。
【請求項１８】
前駆体補充システムであって、
前駆体を収容するように構成され、基板処理装置の部品であるように構成され、前駆体供給システムおよび前駆体源に流体的に接続されるように構成されているアンプルと、
１つ以上のコントローラであって、
（ａ）アンプル充填開始条件が満たされたことを決定し、前記アンプル充填開始条件は、前記アンプルを前駆体で充填することによって生じる前記前駆体の撹拌が、その間に、前記基板処理装置によって処理される基板の安定性に最小限の影響をもたらすであろう段階に前記基板処理装置がある、または入ろうとしていることを決定することみ、
（ｂ）前記アンプルを前記前駆体源からの前駆体で充填させ、前記前駆体による前記アンプルの充填は少なくとも１つの他の基板処理操作と同時に実施され、
（ｃ）アンプル充填停止条件が満たされたことを決定し、
（ｄ）前記前駆体による前記アンプルの充填を停止する
ように構成されている１つ以上のコントローラと、
を備える前駆体補充システム。
【請求項１９】
請求項１８に記載の前駆体補充システムであって、
前記アンプルおよび前記前駆体源は、第１の流路によって流体的に接続されており、
前記第１の流路はバルブを備え、
前記アンプルを前駆体で充填することは、前記バルブを開くことを含み、
前記アンプルを前駆体で充填することを止めることは、前記バルブを閉じることを含む、前駆体補充システム。
【請求項２０】
請求項１８に記載の前駆体補充システムであって、
前記アンプルおよび前記前駆体供給システムは、第２の流路によって流体的に接続されており、
前記第２の流路はバルブを備え、
（ａ）における、その間に前記アンプルを前記前駆体で充填することによって生じる前記前駆体の撹拌が、基板の安定性に最低限の影響をもたらすであろう前記段階は、前記第２の流路の前記バルブが閉じている段階を含む、前駆体補充システム。
【請求項２１】
請求項１８から２０のいずれか一項に記載の前駆体補充システムであって、さらに、
堆積チャンバと、
前記堆積チャンバ内に収容された基板処理ステーションとを備え、前記基板処理ステーションは、基板を受け取るように構成された基板ホルダを備え、前記前駆体供給システムは、前記基板処理ステーションによって受け取られた前記基板の処理中に前駆体を供給するように構成されている、前駆体補充システム。
【手続補正２】
【補正対象書類名】明細書
【補正対象項目名】００７５
【補正方法】変更
【補正の内容】
【００７５】
図５に示すように、オンデマンド充填を用いる堆積処理はより安定した密度を有する一方、オンデマンド充填を用いない堆積処理はその密度により大きな分散がある。オンデマンド充填を用いる堆積処理は、オンデマンド充填を用いない堆積処理よりも優れた処理の均一性を示す。
適用例１：基板処理装置のアンプルを充填する方法であって、
（ａ）アンプル充填開始条件が満たされたことを決定し、前記アンプル充填開始条件は、その間に、前記アンプルを前駆体で充填することによって生じる前記前駆体の撹拌が、前記基板処理装置によって処理される基板の安定性に最小限の影響をもたらすであろう段階に前記基板処理装置がある、または入ろうとしていることを決定することを含みし、
（ｂ）前記アンプルを前駆体で充填し、前記アンプルを前駆体で充填することは、少なくとも１つの他の基板処理操作と同時に実施され、
（ｃ）アンプル充填停止条件が満たされたことを決定し、
（ｄ）前記前駆体による前記アンプルの充填を停止すること、
を含む方法。
適用例２：適用例１に記載の方法であって、（ａ）における、その間に、前記アンプルを前記前駆体で充填することによって生じる前記前駆体の撹拌が、前記基板処理装置によって処理される基板の安定性に最小限の影響をもたらすであろう段階は、基板を受け取って前記基板に前駆体を供給するように構成されている基板処理チャンバに前駆体が供給されない段階である、方法。
適用例３：適用例１に記載の方法であって、前記アンプル充填開始条件は、一連の堆積操作が前記基板処理装置に収容された基板上で完了したことを決定することを含む、方法。
適用例４：適用例３に記載の方法であって、前記一連の堆積操作は、原子層堆積に関連する堆積操作である、方法。
適用例５：適用例１から４のいずれか一項に記載の方法であって、前記アンプル充填開始条件は、前記前駆体量が閾値より少ないことを決定することを含む、方法。
適用例６：適用例５に記載の方法であって、前記閾値は全アンプル容量の約５０％未満である、方法。
適用例７：適用例１から４のいずれか一項に記載の方法であって、前記アンプル充填開始条件は、堆積操作のセットアップが実行中であることを決定することを含む、方法。
適用例８：適用例１から４のいずれか一項に記載の方法であって、前記アンプルを充填することと同時に実行される前記少なくとも１つの他の基板処理操作は、ウエハ・インデキシング操作を含む、方法。
適用例９：適用例１から４のいずれか一項に記載の方法であって、前記アンプルを充填することと同時に実行される前記少なくとも１つの他の基板処理操作は、前記前駆体および／または前記基板の温度ソークを含む、方法。
適用例１０：適用例１から４のいずれかに一項記載の方法であって、前記アンプルを充填することと同時に実行される前記少なくとも１つの他の基板処理操作は、ポンプ・ツー・ベース操作を含む、方法。
適用例１１：適用例１から４のいずれか一項に記載の方法であって、前記アンプル充填停止条件は、アンプル満杯センサが始動したことを決定すること、アンプル充填タイマが時間切れしたことを決定すること、またはアンプル充填停止が始動したことを決定することからなる群から選択される、方法。
適用例１２：適用例１１に記載の方法であって、前記アンプルが全アンプル容量の約８０％を超える前駆体量を有するときに、前記アンプル満杯センサが始動する、方法。
適用例１３：適用例１１に記載の方法であって、前記アンプルが全アンプル容量の約７０−１００％の範囲内の前駆体量を有するときに、前記アンプル満杯センサが始動する、方法。
適用例１４：適用例１１に記載の方法であって、前記アンプル充填タイマは約４５秒未満の期間である、方法。
適用例１５：適用例１１に記載の方法であって、前記アンプル充填停止は、
前記基板処理装置の流路を前駆体で装填すること、
一連の堆積操作を前記基板上で実行すること
の少なくともいずれか１つの前に始動する、方法。
適用例１６：適用例１から４のいずれか一項に記載の方法であって、さらに、（ｄ）の後に、前記基板処理装置の流路を前駆体で装填することを含む、方法。
適用例１７：適用例１から４のいずれか一項に記載の方法であって、さらに、（ｄ）の後に、一連の堆積操作を前記基板上で実行することを含む、方法。
適用例１８：前駆体補充システムであって、
前駆体を収容するように構成され、基板処理装置の部品であるように構成され、前駆体供給システムおよび前駆体源に流体的に接続されるように構成されているアンプルと、
１つ以上のコントローラであって、
（ａ）アンプル充填開始条件が満たされたことを決定し、前記アンプル充填開始条件は、前記アンプルを前駆体で充填することによって生じる前記前駆体の撹拌が、その間に、前記基板処理装置によって処理される基板の安定性に最小限の影響をもたらすであろう段階に前記基板処理装置がある、または入ろうとしていることを決定することみ、
（ｂ）前記アンプルを前記前駆体源からの前駆体で充填させ、前記前駆体による前記アンプルの充填は少なくとも１つの他の基板処理操作と同時に実施され、
（ｃ）アンプル充填停止条件が満たされたことを決定し、
（ｄ）前記前駆体による前記アンプルの充填を停止する
ように構成されている１つ以上のコントローラと、
を備えるシステム。
適用例１９：適用例１８に記載の基板処理装置であって、
前記アンプルおよび前記前駆体源は、第１の流路によって流体的に接続されており、
前記第１の流路はバルブを備え、
前記アンプルを前駆体で充填することは、前記バルブを開くことを含み、
前記アンプルを前駆体で充填することを止めることは、前記バルブを閉じることを含む、装置。
適用例２０：適用例１８に記載の基板処理装置であって、
前記アンプルおよび前記前駆体供給システムは、第２の流路によって流体的に接続されており、
前記第２の流路はバルブを備え、
（ａ）における、その間に前記アンプルを前記前駆体で充填することによって生じる前記前駆体の撹拌が、基板の安定性に最低限の影響をもたらすであろう前記段階は、前記第２の流路の前記バルブが閉じている段階を含む、装置。
適用例２１：適用例１８から２０のいずれか一項に記載の基板処理装置であって、さらに、
堆積チャンバと、
前記堆積チャンバ内に収容された基板処理ステーションとを備え、前記基板処理ステーションは、基板を受け取るように構成された基板ホルダを備え、前記前駆体供給システムは、前記基板処理ステーションによって受け取られた前記基板の処理中に前駆体を供給するように構成されている、装置。